(57)【要約】【課題】シール部材と外プレートとの摺動摩耗に起因する相互の隙間の発生を抑制して潤滑油の漏出を防止する搬送用シールチェーンを提供すること。【解決手段】連結ピン１２０の外周面に内プレート１１０の左右両側から被嵌する左右一対のキャップ状ブシュ１３０、１３０と、左右一体のキャップ状ブシュ１３０を前後一対のブシュ圧入孔１４２に圧入嵌合する左右一対の外プレート１４０、１４０と、キャップ状ブシュ１３０の開口部側に配置する弾性シール部材１５０と、キャップ状ブシュ１３０の有底部分１３２に嵌合して支持する盲孔１６２を有する左右一対のブラケット部材１６０、１６０と、左右一対のブラケット部材１６０を相互に連結して搬送物Ｗを捕捉搬送する搬送手段１７０とで構成されている搬送用シールチェーン１００。【選択図】図２
2012013198.tif 000002
【特許請求の範囲】
【請求項１】
前後一対のピン圧入孔を有する内プレートと、該内プレートのピン圧入孔に圧入嵌合される連結ピンと、該連結ピンの外周面に内プレートの左右両側からそれぞれ被嵌する左右一対のキャップ状ブシュと、該左右一体のキャップ状ブシュを前後一対のブシュ圧入孔にそれぞれ圧入嵌合するとともに前記連結ピンを介して内プレートをチェーン長手方向に相互に連結する左右一対の外プレートと、前記キャップ状ブシュの開口部側に配置して連結ピンの外周面とキャップ状ブシュの内周面との間隙に封入した潤滑油の漏出を阻止する弾性シール部材と、前記キャップ状ブシュの有底部分に嵌合して支持する盲孔を有する左右一対のブラケット部材と、該左右一対のブラケット部材を相互に連結して搬送物を捕捉搬送する搬送手段とで構成されていることを特徴とする搬送用シールチェーン。
【請求項２】
前記連結ピンが、前記キャップ状ブシュに遊嵌するピン小径部と前記内プレートに圧入嵌合するピン大径部とで構成されていることを特徴とする請求項１記載の搬送用シールチェーン。
【請求項３】
前記弾性シール部材が、前記連結ピンの外周面およびまたはキャップ状ブシュの内周側に設けられていることを特徴とする請求項１または請求項２記載の搬送用シールチェーン。
【請求項４】
前記左右一対のキャップ状ブシュが、ローラをそれぞれ遊嵌していることを特徴とする請求項１乃至請求項３のいずれかに記載の搬送用シールチェーン。
【請求項５】
前記連結ピンが、前記キャップ状ブシュの有底部分に対向して当接する突起部を設けたピン端面を備えていることを特徴とする請求項１乃至請求項４のいずれかに記載の搬送用シールチェーン。
【請求項６】
前記搬送手段が、搬送物を捕捉するバケットで構成されていることを特徴とする請求項１乃至請求項５のいずれかに記載の搬送用シールチェーン。
【発明の詳細な説明】
【技術分野】
【０００１】
本発明は、搬送物を捕捉して搬送する搬送用シールチェーンに関するものであって、特に、連結ピンとブシュとの間に潤滑油を封入した搬送用チェーン。
【背景技術】
【０００２】
シールチェーンは、一般に、チェーンの内プレートと外プレートとの間にシール機構を設け、連結ピンとブシュとの間に封入した潤滑油の漏出を防止している。このシール機構には、従来より様々なものが提案されている。
【０００３】
従来、前後一対のブシュの両端部を左右一対の内側リンクプレートのブシュ圧入孔に圧入嵌合してなる内プレートとブシュ内に遊嵌されたピンの両端部が固定された外プレートとピンを囲んで外プレートの内側面側に装着される弾性材製の環状シール部材とを有するシールチェーンが知られている。
そして、このようなシールチェーンのシール機構においては、ブシュの両端の両端部が内プレートの外側面より内側に位置するようにブシュの両端部がブシュ圧入孔に圧入固定されることによりブシュ圧入孔内に空隙が形成され、ブシュ圧入孔の外側のエッジが面取りされて面取り部が形成され、弾性材製の環状シール部材はその一部が空隙内に位置し外プレートの内側面とピンの外周面とブシュの端面と面取り部とによって圧縮された状態で装着されている（例えば、特許文献１参照。）。
【先行技術文献】
【特許文献】
【０００４】
【特許文献１】特開２００３−１９４１５５号公報（第１２欄、図１）
【発明の概要】
【発明が解決しようとする課題】
【０００５】
前述したような従来のシールチェーンでは、弾性材製の環状シール部材の端面が外プレートに摺接摩耗することによって、弾性材製の環状シール部材と外プレートとの間に隙間が生じ、この隙間からブシュとピンとの間に封入された潤滑油が外部に漏れ出すという問題があった。
【０００６】
そこで、本発明は、従来の問題を解決するものであって、すなわち、本発明の目的は、シール部材と外プレートとの摺動摩耗に起因する相互の隙間の発生を抑制して、潤滑油の漏出を防止する搬送用シールチェーンを提供することである。
【課題を解決するための手段】
【０００７】
請求項１に係る本発明は、前後一対のピン圧入孔を有する内プレートと、内プレートのピン圧入孔に圧入嵌合される連結ピンと、連結ピンの外周面に内プレートの左右両側からそれぞれ被嵌する左右一対のキャップ状ブシュと、左右一体のキャップ状ブシュを前後一対のブシュ圧入孔にそれぞれ圧入嵌合するとともに連結ピンを介して内プレートをチェーン長手方向に相互に連結する左右一対の外プレートと、キャップ状ブシュの開口部側に配置して連結ピンの外周面とキャップ状ブシュの内周面との間隙に封入した潤滑油の漏出を阻止する弾性シール部材と、キャップ状ブシュの有底部分に嵌合して支持する盲孔を有する左右一対のブラケット部材と、左右一対のブラケット部材を相互に連結して搬送物を捕捉搬送する搬送手段とで構成されていることにより、前述した課題を解決したものである。
【０００８】
請求項２に係る本発明は、請求項１記載の構成に加えて、連結ピンが、キャップ状ブシュに遊嵌するピン小径部と内プレートに圧入嵌合するピン大径部とで構成されていることにより、前述した課題をさらに解決したものである。
【０００９】
請求項３に係る本発明は、請求項１または請求項２記載の構成に加えて、弾性シール部材が、連結ピンの外周面およびまたはキャップ状ブシュの内周側に設けられていることにより、前述した課題をさらに解決したものである。
【００１０】
請求項４に係る本発明は、請求項１乃至請求項３のいずれか記載の構成に加えて、左右一対のキャップ状ブシュが、ローラをそれぞれ遊嵌していることにより、前述した課題をさらに解決したものである。
【００１１】
請求項５に係る本発明は、請求項１乃至請求項４のいずれか記載の構成に加えて、連結ピンが、キャップ状ブシュの有底部分に対向して当接する突起部を設けたピン端面を備えていることにより、前述した課題をさらに解決したものである。
【００１２】
請求項６に係る本発明は、請求項１乃至請求項５のいずれか記載の構成に加えて、搬送手段が、搬送物を捕捉するバケットで構成されていることにより、前述した課題をさらに解決したものである。
【発明の効果】
【００１３】
そこで、本発明は、前後一対のピン圧入孔を有する内プレートと、内プレートのピン圧入孔に圧入嵌合される連結ピンと、連結ピンの外周面に内プレートの左右両側からそれぞれ被嵌する左右一対のキャップ状ブシュと、左右一体のキャップ状ブシュを前後一対のブシュ圧入孔にそれぞれ圧入嵌合するとともに連結ピンを介して内プレートをチェーン長手方向に相互に連結する左右一対の外プレートと、キャップ状ブシュの開口部側に配置して連結ピンの外周面とキャップ状ブシュの内周面との間隙に封入した潤滑油の漏出を阻止する弾性シール部材と、キャップ状ブシュの有底部分に嵌合して支持する盲孔を有する左右一対のブラケット部材と、左右一対のブラケット部材を相互に連結して搬送物を捕捉搬送する搬送手段とで構成されていることにより、チェーン稼働時の周回走行により生じる遠心力等に起因した潤滑油の漏出を抑制して、外部から無給油状態でチェーン駆動するばかりでなく、以下のような特有の効果を奏することができる。
【００１４】
請求項１に係る本発明の搬送用シールチェーンによれば、内プレートのピン圧入孔に圧入嵌合される連結ピンと、連結ピンの外周面に内プレートの左右両側からそれぞれ被嵌する左右一対のキャップ状ブシュと、キャップ状ブシュの開口部側に配置して連結ピンの外周面とキャップ状ブシュの内周面との間隙に封入した潤滑油の漏出を阻止する弾性シール部材とで構成されていることにより、弾性シール部材が、外プレートと摺接することなく、弾性変形してキャップ状ブシュと連結ピンとの間の隙間、すなわち、潤滑油の流路に潤滑油を封入するため、搬送用シールチェーンの屈曲動作によって弾性シール部材と外プレートとの摺接摩耗に起因する相互の隙間の発生を抑制して、優れたシール効果を得ることができる。
【００１５】
請求項２に係る本発明の搬送用シールチェーンによれば、請求項１記載の搬送用シールチェーンが奏する効果に加えて、連結ピンが、キャップ状ブシュに遊嵌するピン小径部と内プレートに圧入嵌合するピン大径部とで構成されていることにより、キャップ状ブシュの開口部がピン大径部に当接するため、連結ピンを圧入する内プレートの板厚寸法の誤差にかかわらずシール効果を得ることができる。
【００１６】
請求項３に係る本発明の搬送用シールチェーンによれば、請求項１または請求項２に記載の搬送用シールチェーンが奏する効果に加えて、弾性シール部材が、連結ピンの外周面およびまたはキャップ状ブシュの内周側に設けられていることにより、チェーンの円滑な屈曲動作を確保するにあたり少なくとも潤滑油を充填する必要がある空間に潤滑油を封入するので、効率的にシール効果を得ることができる。
【００１７】
請求項４に係る本発明の搬送用シールチェーンによれば、請求項１乃至請求項３のいずれかに記載の搬送用シールチェーンが奏する効果に加えて、左右一対のキャップ状ブシュが、ローラをそれぞれ遊嵌していることにより、搬送用シールチェーンがローラを介してスプロケットにかみ込むため、搬送用シールチェーンの衝撃荷重に対する強度を向上させることができる。
【００１８】
請求項５に係る本発明の搬送用シールチェーンによれば、請求項１乃至請求項４のいずれかに記載の搬送用シールチェーンが奏する効果に加えて、連結ピンが、キャップ状ブシュの有底部分に対向して当接する突起部を設けたピン端面を備えていることにより、突起部を備えたピン端面とキャップ状ブシュの有底部分との間の潤滑油の流路を大きく確保するため、優れた摩耗抑制効果を得ることができる。また、ピン端面の突起部がキャップ状ブシュの有底部分に当接するため、連結ピンの連結ピン長手方向への移動を防止することができる。
【００１９】
請求項６に係る本発明の搬送用シールチェーンによれば、請求項１乃至請求項５のいずれかに記載の搬送用シールチェーンが奏する効果に加えて、搬送手段が、搬送物を捕捉するバケットで構成されていることにより、バケットで搬送物を掻き取るため、搬送物が肥料、試料、穀物等のばらものであっても効率的に捕捉して搬送することができる。
【図面の簡単な説明】
【００２０】
【図１】本発明の第１実施例である搬送用シールチェーンの使用態様図。
【図２】本発明の第１実施例である搬送手段を除く搬送用シールチェーンの概要図。
【図３】図２に示す搬送用シールチェーンの組み立て分解図。
【図４】本発明の第１実施例である搬送手段を除く搬送用シールチェーンの平面図。
【図５】本発明の第１実施例である搬送用シールチェーンの図１Ａ−Ａ断面図。
【図６】本発明の第２実施例である搬送用シールチェーンの図１Ａ−Ａ断面図。
【図７】図６の一部拡大図。
【発明を実施するための形態】
【００２１】
本発明は、前後一対のピン圧入孔を有する内プレートと、内プレートのピン圧入孔に圧入嵌合される連結ピンと、連結ピンの外周面に内プレートの左右両側からそれぞれ被嵌する左右一対のキャップ状ブシュと、左右一体のキャップ状ブシュを前後一対のブシュ圧入孔にそれぞれ圧入嵌合するとともに連結ピンを介して内プレートをチェーン長手方向に相互に連結する左右一対の外プレートと、キャップ状ブシュの開口部側に配置して連結ピンの外周面とキャップ状ブシュの内周面との間隙に封入した潤滑油の漏出を阻止する弾性シール部材と、キャップ状ブシュの有底部分に嵌合して支持する盲孔を有する左右一対のブラケット部材と、左右一対のブラケット部材を相互に連結して搬送物を捕捉搬送する搬送手段とで構成されて、弾性シール部材が外プレートとの摺動摩耗によって、弾性シール部材と外プレートとの間に間隙が発生したことに起因する潤滑油の漏出を防止して、優れたシール効果を発揮するものであれば、その具体的な実施の形態は、如何なるものであっても何ら構わない。
【００２２】
例えば、本発明の搬送用シールチェーンは、内プレートと外プレートとローラとピンとブシュとを有するローラチェーン、内プレートと外プレートとピンとブシュとを有するブシュチェーンのいずれのものがその対象であっても差し支えない。
【００２３】
また、本発明の搬送用シールチェーンに組み込まれる弾性シール部材の具体的材料については、耐摩耗性、耐熱性及び耐油性を備えたものであれば、ナイロン系樹脂、ニトリルゴム（ＮＢＲ）などのいずれであっても良く、特に、ナイロン系樹脂は弾性、耐摩耗性、及び耐油性に優れており、他部材との摺接摩耗に起因したシール効果の劣化を抑制するとともに、例えば、Ｏリング状の安定したリング形態を長期にわたって維持して、チェーンの円滑な屈曲動作を実現するので、より好ましい。
【００２４】
本発明の搬送用シールチェーンに組み込まれるキャップ状ブシュおよびもしくは連結ピンに設けられる突起については、キャップ状ブシュの有底部分と連結ピンが対向する空間に潤滑油の流路を確保するとともに、連結ピンの位置決めを確実に行うことができれば、キャップ状ブシュのピン端面およびもしくはキャップ状ブシュの有底部分に設けられていても良く、また、突起の形状は、半円柱体、半球体のいずれであっても良く、さらに、突起の数は、１つのみ設けられていても複数個設けられていても構わない。
【００２５】
本発明の搬送用チェーンに組み込まれる搬送手段は、左右一対のブラケット部材を相互に連結するとともに、搬送物を捕捉搬送するものであれば、バケット、スラット、パンまたはエプロンなどのいずれであっても構わない。
【実施例１】
【００２６】
以下、本発明の第１実施例である搬送用シールチェーン１００を図１乃至図５に基づいて説明する。
ここで、図１は、本発明の第１実施例である搬送用シールチェーンの使用態様図であり、図２は、本発明の第１実施例である搬送手段を除く搬送用シールチェーンの概要図であり、図３は、図２に示す搬送用シールチェーンの組み立て分解図であり、図４は、本発明の第１実施例である搬送手段を除く搬送用シールチェーンの平面図であり、図５は、本発明の第１実施例である搬送用シールチェーンの図１Ａ−Ａ断面図である。
【００２７】
まず、本発明の第１実施例である搬送用シールチェーン１００は、肥料、試料、穀物等のばらものを捕捉して搬送するために用いられるものであって、図１乃至図５に示すように、前後一対のピン圧入孔１１２を有する内プレート１１０と、この内プレート１１０のピン圧入孔１１２に圧入嵌合される連結ピン１２０と、この連結ピン１２０の外周面に内プレート１１０の左右両側からそれぞれ被嵌する左右一対のキャップ状ブシュ１３０、１３０と、この左右一体のキャップ状ブシュ１３０を前後一対のブシュ圧入孔１４２にそれぞれ圧入嵌合するとともに連結ピン１２０を介して内プレート１１０をチェーン長手方向に相互に連結する左右一対の外プレート１４０、１４０とを備えている。
【００２８】
また、搬送用シールチェーン１００は、キャップ状ブシュ１３０の開口部１３４側に配置して連結ピン１２０の外周面とキャップ状ブシュ１３０の内周面との間隙に封入した潤滑油Ｏの漏出を阻止するＯリング等からなる弾性シール部材１５０と、キャップ状ブシュ１３０の有底部分１３２に嵌合して支持する盲孔１６２を有する断面Ｌ字状の左右一対のブラケット部材１６０、１６０と、この左右一対のブラケット部材１６０、１６０を相互に連結する搬送手段１７０とを備えている。
【００２９】
搬送用シールチェーン１００は、ばらもの等の捕捉物を捕捉して搬送するためのバケットからなる搬送手段１７０を備えており、このバケットからなる搬送手段１７０を介してブラケット部材１６０、１６０が相互に連結されている。
また、上述したブラケット部材１６０とバケットからなる搬送手段１７０とは、ブラケット部材１６０のボルト挿入孔１６４とバケットからなる搬送手段１７０に設けられた孔とに挿入するボルト１８１と、このボルト１８１に係合するナット１８２とをブラケット部材１６０とバケットからなる搬送手段１７０を挟持して締め付けることにより結合されている。
潤滑油Ｏは、連結ピン１２０とキャップ状ブシュ１３０と弾性シール部材１５０との間に封入されている。
【００３０】
そこで、本第１実施例の搬送用シールチェーン１００が最も特徴とする連結ピン１２０とキャップ状ブシュ１３０と弾性シール部材１５０の具体的な形態について図１乃至図５に基づいて詳しく説明する。
まず、搬送用シールチェーン１００は、内プレート１１０、１１０のピン圧入孔１１２に圧入嵌合される連結ピン１２０と、連結ピン１２０の外周面に内プレート１１０の左右両側からそれぞれ被嵌する左右一対のキャップ状ブシュ１３０と、キャップ状ブシュ１３０の開口部１３４側に配置して連結ピン１２０の外周面とキャップ状ブシュ１３０の内周面との間隙に封入した潤滑油Ｏの漏出を阻止する弾性シール部材１５０とを備えている。
これにより、弾性シール部材１５０が、外プレート１４０と摺接することなく、弾性変形してキャップ状ブシュ１３０と連結ピン１２０との間の隙間、すなわち、潤滑油の流路に潤滑油Ｏを封入している。
【００３１】
連結ピン１２０が、キャップ状ブシュ１３０に遊嵌するピン小径部１２２と内プレート１１０に圧入嵌合するピン大径部１２４とで構成され、弾性シール部材１５０が、連結ピン１２０の外周面およびまたはキャップ状ブシュ１３０の内周側に設けられている。
これにより、キャップ状ブシュ１３０の開口部１３４がピン大径部１３４に当接するようになっているとともに、搬送用チェーン１００の円滑な屈曲動作を確保するにあたり少なくとも潤滑油Ｏを充填する必要がある空間に潤滑油Ｏを封入している。
【００３２】
弾性シール部材１５０が、キャップ状ブシュ１３０の内周側に設けられ、左右一対のキャップ状ブシュ１３０が、ローラ１９０をそれぞれ遊嵌しているとともに、搬送手段１７０が、搬送物Ｗを捕捉するバケットで構成されている。
これにより、搬送用シールチェーン１００がローラ１９０を介してスプロケット（図示略）にかみ込むようになっているとともに、搬送用シールチェーン１００は、バケットで搬送物Ｗを掻き取るようになっている。
【００３３】
このようにして得られた本第１実施例の搬送用シールチェーン１００は、内プレート１１０、１１０のピン圧入孔１１２に圧入嵌合される連結ピン１２０と、連結ピン１２０の外周面に内プレート１１０の左右両側からそれぞれ被嵌する左右一対のキャップ状ブシュ１３０と、キャップ状ブシュ１３０の開口部１３４側に配置して連結ピン１２０の外周面とキャップ状ブシュ１３０の内周面との間隙に封入した潤滑油Ｏの漏出を阻止する弾性シール部材１５０とで構成されているとともに、連結ピン１２０が、キャップ状ブシュ１３０に遊嵌するピン小径部１２２と内プレート１１０に圧入嵌合するピン大径部１２４とで構成されていることにより、優れたシール効果を得ることができるとともに、連結ピン１２０を圧入する内プレート１１０の板厚寸法の誤差にかかわらずシール効果を得ることができる。
【００３４】
また、弾性シール部材１５０が、連結ピン１２０の外周面およびまたはキャップ状ブシュ１３０の内周側に設けられているとともに、弾性シール部材１５０が、キャップ状ブシュ１３０の内周側に設けられ、左右一対のキャップ状ブシュ１３０が、ローラ１９０をそれぞれ遊嵌していることにより、効率的にシール効果を得ることができるとともに、搬送用シールチェーン１００の衝撃荷重に対する強度を向上させることができる。
【００３５】
さらに、搬送手段１７０が、搬送物Ｗを捕捉するバケットで構成されていることにより、肥料、試料、穀物等のばらものであっても効率的に捕捉搬送することができるなど、その効果は甚大である。
【実施例２】
【００３６】
次に、本発明の第２実施例である搬送用シールチェーン２００を図６及び図７に基づいて説明する。図６は、本発明の第２実施例である搬送用シールチェーンの図１Ａ−Ａ断面図であり、図７は、図６の一部拡大図である。
なお、図６および図７では、図１乃至図５に図示した第１実施例に係る部材に対応する実施例２に係る部材の符号を１００番台から２００番台に書き換えて図示している。
【００３７】
まず、本発明の第２実施例である搬送用シールチェーン２００は、肥料、試料、穀物等のばらものを捕捉搬送するために用いられるものであって、図６および図７に示すとおり、前後一対のピン圧入孔２１２を有する内プレート２１０と、この内プレート２１０のピン圧入孔２１２に圧入嵌合される連結ピン２２０、２２０と、この連結ピン２２０の外周面に内プレート２１０の左右両側からそれぞれ被嵌する左右一対のキャップ状ブシュ２３０、２３０と、この左右一体のキャップ状ブシュ２３０を前後一対のブシュ圧入孔２２２にそれぞれ圧入嵌合するとともに連結ピン２２０を介して内プレート２１０をチェーン長手方向に相互に連結する左右一対の外プレート２４０、２４０とを備えている。
【００３８】
また、搬送用シールチェーン２００は、キャップ状ブシュ２３０の開口部２３４側に配置して連結ピン２２０の外周面とキャップ状ブシュ２３０の内周面との間隙に封入した潤滑油Ｏの漏出を阻止するＯリング等からなる弾性シール部材２５０と、キャップ状ブシュ２３０の有底部分２３２に嵌合して支持する盲孔２６２を有する断面Ｌ字状の左右一対のブラケット部材２６０、２６０と、この左右一対のブラケット部材２６０、２６０を相互に連結する搬送手段２７０とを備えている。
【００３９】
搬送用シールチェーン２００は、ばらもの等の搬送物Ｗを捕捉して搬送するバケットからなる搬送手段２７０を備えており、このバケットからなる搬送手段２７０を介してブラケット部材２６０、２６０が相互に連結されている。
また、上述したブラケット部材２６０とバケットからなる搬送手段２７０とは、ブラケット部材２６０のボルト挿入孔２６４とバケットからなる搬送手段２７０に設けられたボルトを挿入する孔とに挿入するボルト２８１と、このボルト２８１に係合するナット２８２とをブラケット部材２６０とバケットからなる搬送手段２７０を挟持して締め付けることで結合されている。
潤滑油Ｏは、連結ピン２２０とキャップ状ブシュ２３０と弾性シール部材２５０との間に封入されている。
【００４０】
そこで、本第２実施例の搬送用シールチェーン２００が最も特徴とする連結ピン２２０とキャップ状ブシュ２３０と弾性シール部材２５０の具体的な形態について詳しく説明する。
まず、搬送用シールチェーン２００は、内プレート２１０、２１０のピン圧入孔２１２に圧入嵌合される連結ピン２２０と、連結ピン２２０の外周面に内プレート２１０の左右両側からそれぞれ被嵌する左右一対のキャップ状ブシュ２３０と、キャップ状ブシュ２３０の開口部２３４側に配置して連結ピン２２０の外周面とキャップ状ブシュ２３０の内周面との間隙に封入した潤滑油の漏出を阻止する弾性シール部材２５０とで構成されている。
これにより、弾性シール部材２５０が、弾性変形してキャップ状ブシュ２３０と連結ピン２２０との間の間隙、すなわち、潤滑油の流路に潤滑油Ｏを封入するとともに、搬送用シールチェーン２００の屈曲動作において弾性シール部材２５０と外プレート２４０とが摺接せず、外プレート２４０との摺接により生じる弾性シール部材２５０の摺接摩耗を防止している。
【００４１】
連結ピン２２０が、キャップ状ブシュ２３０に遊嵌するピン小径部２２２と内プレート２１０に圧入嵌合するピン大径部２２４とで構成され、弾性シール部材２５０が、連結ピン２２０の外周面およびまたはキャップ状ブシュ２３０の内周側に設けられている。
これにより、キャップ状ブシュ２３０の開口部２３４がピン大径部２２４に当接するようになっているとともに、チェーンの円滑な屈曲動作を確保するにあたり少なくとも潤滑油Ｏを充填する必要がある空間に潤滑油Ｏを封入している。
【００４２】
また、弾性シール部材２５０が、キャップ状ブシュ２３０の内周側に設けられ、左右一対のキャップ状ブシュ２３０が、ローラ２９０をそれぞれ遊嵌しているとともに、連結ピン２２０が、キャップ状ブシュ２３０の有底部分２３２に対向して当接する突起部２２６を設けたピン端面２２８を備えている。
これにより、搬送用シールチェーン２００がローラ２９０を介してスプロケット（図示略）にかみ込むようになっているとともに、突起部２２６を備えたピン端面２２８とキャップ状ブシュ２３０の有底部分２３２との間に潤滑油Ｏの流路を大きく確保して、また、ピン端面２２８の突起部２２６がキャップ状ブシュ２３０の有底部分２３２に当接するようになっている。
【００４３】
さらに、搬送手段２７０が、搬送物Ｗを捕捉するバケットで構成されていることにより、搬送用シールチェーン２００が、バケットで搬送物Ｗを掻き取るようになっている。
【００４４】
このようにして得られた本第２実施例の搬送用シールチェーン２００は、内プレート２１０、２１０のピン圧入孔２１２に圧入嵌合される連結ピン２２０と、連結ピン２２０の外周面に内プレート２１０の左右両側からそれぞれ被嵌する左右一対のキャップ状ブシュ２３０と、キャップ状ブシュ２３０の開口部２３４側に配置して連結ピン２２０の外周面とキャップ状ブシュ２３０の内周面との間隙に封入した潤滑油Ｏの漏出を阻止する弾性シール部材２５０とで構成されているとともに、連結ピン２２０が、キャップ状ブシュ２３０に遊嵌するピン小径部２２２と内プレート２１０に圧入嵌合するピン大径部２２４とで構成されていることにより、優れたシール効果を得ることができるとともに、連結ピン２２０を圧入する内プレート２１０の板厚寸法の誤差にかかわらずシール効果を得ることができる。
【００４５】
また、弾性シール部材２５０が、連結ピン２２０の外周面およびまたはキャップ状ブシュ２３０の内周側に設けられているとともに、弾性シール部材２５０が、キャップ状ブシュ２３０の内周側に設けられ、左右一対のキャップ状ブシュ２３０が、ローラ２９０をそれぞれ遊嵌していることにより、効率的にシール効果を得ることができるとともに、搬送用シールチェーン２００の衝撃荷重に対する強度を向上させることができる。
【００４６】
さらに、連結ピン２２０が、キャップ状ブシュ２３０の有底部分２３２に対向して当接する突起部２２６を設けたピン端面２２８を備えているとともに、搬送手段２７０が、搬送物Ｗを捕捉するバケットで構成されていることにより、優れた摩耗抑制効果を得ることができ、連結ピン２２０の連結ピン長手方向への移動を防止できるとともに、肥料、試料、穀物等のばらものであっても効率的に捕捉して搬送することができるなど、その効果は甚大である。
【符号の説明】
【００４７】
１００、２００  ・・・  搬送用シールチェーン
１１０、２１０  ・・・  内プレート
１１２、２１２  ・・・  ピン圧入孔
１２０、２２０  ・・・  連結ピン
１２２、２２２  ・・・  ピン小径部
１２４、２２４  ・・・  ピン大径部
２２６          ・・・  突起部
２２８          ・・・  ピン端面
１３０、２３０  ・・・  キャップ状ブシュ
１３２、２３２  ・・・  有底部分
１３４、２３４  ・・・  開口部
１４０、２４０  ・・・  外プレート
１４２、２４２  ・・・  ブシュ圧入孔
１５０、２５０  ・・・  弾性シール部材
１６０、２６０  ・・・  ブラケット部材
１６２、２６２  ・・・  盲孔
１６４、２６４  ・・・  ボルト挿入孔
１７０、２７０  ・・・  搬送手段
１８１、２８１  ・・・  ボルト
１８２、２８２  ・・・  ナット
１９０、２９０  ・・・  ローラ
Ｏ              ・・・  潤滑油
Ｗ              ・・・  搬送物
【図１】
2012013198.tif 000003
【図２】
2012013198.tif 000004
【図３】
2012013198.tif 000005
【図４】
2012013198.tif 000006
【図５】
2012013198.tif 000007
【図６】
2012013198.tif 000008
【図７】
2012013198.tif 000009